(57)【要約】【課題】    簡単な構造により、一時的にウエスト周りの長さ（ウエストサイズ）が大きくなることができる下半身用の衣服を提供する。【解決手段】表地のウエスト部の少なくとも上縁を含む周を両側に分断するよう、互いに接合可能又は重合可能な第１縁部及び第２縁部の間に形成された表地分断部と、表地分断部が拡がるよう第１縁部と第２縁部との両縁部が遠ざかるときには少なくとも該両縁部が近づくよう付勢する、表地の裏面側に該両縁部に跨るように配設される付勢手段と、を含むウエスト伸縮手段を備えてなる、下半身用の衣服である。【選択図】  図５
0003136651.tif 000002
【実用新案登録請求の範囲】
【請求項１】
表地のウエスト部の少なくとも上縁を含む周を両側に分断するよう、互いに接合可能又は重合可能な第１縁部及び第２縁部の間に形成された表地分断部と、
表地分断部が拡がるよう第１縁部と第２縁部との両縁部が遠ざかるときには少なくとも該両縁部が近づくよう付勢する、表地の裏面側に該両縁部に跨るように配設される付勢手段と、
を含むウエスト伸縮手段を備えてなる、下半身用の衣服。
【請求項２】
表地分断部が拡がるように前記両縁部が互いに遠ざかるような力を加えていないときには、付勢手段の付勢力により第１縁部と第２縁部との少なくとも一部が互いに接合又は重合することで、付勢手段の少なくとも一部が表地の表面側から隠されるものである、請求項１に記載の下半身用の衣服。
【請求項３】
表地分断部が拡がるように前記両縁部が互いに遠ざかるような力を加えていないときには、付勢手段の付勢力により第１縁部と第２縁部とが略全縁にわたって互いに接合又は重合するものである、請求項１又は２に記載の下半身用の衣服。
【請求項４】
表地分断部が拡がるように前記両縁部が互いに遠ざかるような力を加えていないときには、付勢手段の全部が表地の表面側から隠されるものである、請求項２又は３に記載の下半身用の衣服。
【請求項５】
表地分断部が、表地の上下方向に沿って形成された布片同士を縫合する縫い目の延長に存するよう形成されるものである、請求項１乃至４のいずれか１に記載の下半身用の衣服。
【請求項６】
付勢手段が、一端側が第１縁部の近傍に固定されると共に他端側が第２縁部の近傍に固定される、ゴム材料によって形成された紐材又は帯材である、請求項１乃至５のいずれか１に記載の下半身用の衣服。
【請求項７】
前記一端側又は前記他端側の少なくとも一方が、前記固定される第１縁部又は第２縁部から垂直方向に一定距離離れた位置に固定されるものである、請求項６に記載の下半身用の衣服。
【請求項８】
ウエスト部が裏地を有するものであり、
付勢手段が、表地と裏地との間に配設されるものである、請求項１乃至７のいずれか１に記載の下半身用の衣服。
【請求項９】
裏地が、表地分断部に対応するウエスト部の周の位置に周を両側に分断する裏地分断部を有するものである、請求項８に記載の下半身用の衣服。
【請求項１０】
複数個のウエスト伸縮手段を、想定される着用者の胴体中心を通過し、該着用者の左右空間を分割する平面に対して面対称に略備えてなる、請求項１乃至９のいずれか１に記載の下半身用の衣服。
【考案の詳細な説明】
【技術分野】
【０００１】
本考案は、下半身用の衣服に関し、より詳細には、スカート、キュロット及びズボン等のような下半身用の衣服であって、食事、姿勢及び肥満等により一時的に着用者のウエスト周りの長さ（ウエストサイズ）が大きくなったときに、それに伴って一時的にウエスト周りの長さ（ウエストサイズ）が大きくなることができる下半身用の衣服に関する。
【背景技術】
【０００２】
スカート、キュロット及びズボン等のような下半身用の衣服は、生活の様々な場面において着用されている。かかる下半身用の衣服は、着用者の胴体や腹部（以下、「腹部等」という。）の周りにウエスト部を周回させることで、ウエスト部内周面と腹部等との摩擦力等によって着用者に固定され着用されるものである。このため通常、下半身用の衣服のウエスト部は、その内周面が腹部等とうまく密接するよう、腹部等の周りの長さに応じてウエスト周りの長さ（ウエストサイズ）が決められる。
ところが、着用者の腹部等の周りの長さは、着用者の様々な状態により変化しうる。一例を挙げれば、着用者が食事をすることや、着用者が前屈みになることや、着用者が太ること等により腹部等の周りの長さは増加する。このため下半身用の衣服のウエスト部のウエスト周りの長さ（ウエストサイズ）が実質的に変化しないものであれば、着用者の腹部等の周りの長さが大きくなると着用者は腹部等が下半身用の衣服のウエスト部により締め付けられることで苦しさを感じる問題や下半身用の衣服を着用することができない問題等があった。
この問題を解決又は減少させるため着用者の腹部等の周りの長さが一時的に大きくなったときに、それに伴い一時的にウエスト部のウエスト周りの長さ（ウエストサイズ）が大きくなり得る下半身用の衣服も種々提案されてきた（例えば、特許文献１参照）。
【０００３】
特許文献１に開示の下半身用の衣服（特許文献１中では下衣）は、「スライダー部材やレール部材などを使用することなく、着用感や外観を低下させず、ウェスト部にシワなどが発生せずにウェストサイズを自動調整可能にした下衣を提供することを目的」（考案の詳細な説明中、段落番号０００７）としてなされたものであり、具体的には、「下衣本体と、下衣本体前身頃のウェスト部に形成されている袋状第１ウェスト帯状体と、下衣本体後身頃のウェスト部に形成されかつ前部において袋状第１ウェスト帯状体内部に伸びていて、袋状第１ウェスト帯状体内部にその一部が固定さている第２ウェスト帯状体とを有する下衣からなり、前記第２ウェスト帯状体は、袋状第１ウェスト帯状体内部に伸びている部分の第１ウェスト帯状体の左右両端よりやや前中心側に入った部分がゴム状弾性帯状体で形成され、ゴム状弾性帯状体の前中心側が袋状第１ウェスト帯状体に固定されているが、ゴム状弾性帯状体の前記固定箇所より後中心側の第２ウェスト帯状体は、袋状第１ウェスト帯状体に固定されておらずゴム状弾性帯状体の伸縮に応じてゴム状弾性帯状体より後中心側の第２ウェスト帯状体の一部が袋状第１ウェスト帯状体内部に摺動可能に挿入されており、下衣本体の左右両脇にはポケットを有し、ポケットの肌側を構成する向布は、その上縁の前中心側端部が袋状第１ウェスト帯状体に固定され、上縁の後中心側の一部が第２ウェスト帯状体下縁に固定され、前記上縁の前中心側端部の固定部と前記後中心側の固定部間の上縁は前記第２ウェスト帯状体にその上縁が固定されていないことを特徴とするウェスト部が自動伸縮可能な下衣。」（考案の詳細な説明中、段落番号０００９）であり、それによって「ウェスト部においては、ウェスト周囲丈に応じて、袋状第１ウェスト帯状体５内部の第２ウェスト帯状体６のゴム状弾性帯状体２３部分が伸縮することによりウェスト周囲丈が調整されるが、ウェスト周囲丈の伸縮は、第２ウェスト帯状体６の一部が袋状第１ウェスト帯状体５内部に入ったり、そこから引き出されたりすることにより調整されるので、ウェスト部においてシワなどが発生することがなく、ウェスト部をウェスト周囲丈に応じた寸法に自動伸縮可能とすることができる。しかも、ポケット部はスカート内部でポケット部上縁にたるみが少し生じるが、外部からは見えないので、着用者の外観を低下させることがない。このように、本考案はウェスト帯状体とポケット部を巧みに利用して、ウェスト部にシワなどが発生せずにウェストサイズを自動調整可能にしたスカートその他の下衣を提供」（考案の詳細な説明中、段落番号００３２）できるというものである。
【０００４】
【特許文献１】登録実用新案第第３１２７８１５号公報（発明の詳細な説明の段落番号０００１〜０００９、００３２、要約、第６図〜第９図等）
【考案の開示】
【考案が解決しようとする課題】
【０００５】
上記した特許文献１に開示された下衣（下半身用の衣服）は、上述のように着用感や外観を低下させず、ウェスト部にシワなどが発生せずにウェストサイズを自動調整可能にしたものであるが、一方では「ウェスト部に形成されている袋状第１ウェスト帯状体と、下衣本体後身頃のウェスト部に形成されかつ前部において袋状第１ウェスト帯状体内部に伸びていて、袋状第１ウェスト帯状体内部にその一部が固定さている第２ウェスト帯状体とを有する下衣からなり、前記第２ウェスト帯状体は、袋状第１ウェスト帯状体内部に伸びている部分の第１ウェスト帯状体の左右両端よりやや前中心側に入った部分がゴム状弾性帯状体で形成され、ゴム状弾性帯状体の前中心側が袋状第１ウェスト帯状体に固定されているが、ゴム状弾性帯状体の前記固定箇所より後中心側の第２ウェスト帯状体は、袋状第１ウェスト帯状体に固定されておらずゴム状弾性帯状体の伸縮に応じてゴム状弾性帯状体より後中心側の第２ウェスト帯状体の一部が袋状第１ウェスト帯状体内部に摺動可能に挿入されて」いる複雑な構造を要するものであり、このため下半身用の衣服の製造費用を増大させたり、ウエスト部がかさばるといった問題を生じさせ得るものであった。
【０００６】
そこで、本考案では、簡単な構造により、一時的にウエスト周りの長さ（ウエストサイズ）が大きくなることができる下半身用の衣服を提供することを目的とする。
【課題を解決するための手段】
【０００７】
本考案の下半身用の衣服（以下、「本衣服」という。）は、表地のウエスト部の少なくとも上縁を含む周を両側に分断するよう、互いに接合可能又は重合可能な第１縁部及び第２縁部の間に形成された表地分断部と、表地分断部が拡がるよう第１縁部と第２縁部との両縁部が遠ざかるときには少なくとも該両縁部が近づくよう付勢する、表地の裏面側に該両縁部に跨るように配設される付勢手段と、を含むウエスト伸縮手段を備えてなる、下半身用の衣服である。
【０００８】
本衣服は、ウエスト伸縮手段を備える。本衣服が備えるウエスト伸縮手段の個数は、１以上であればよく、具体的には、１、２、３、４、５、６・・・のように特に限定されない。
ウエスト伸縮手段は表地分断部と付勢手段とを含む。
表地分断部は、表地のウエスト部の少なくとも上縁を含む周を両側に分断するよう、第１縁部及び第２縁部の間に形成されている（即ち、第１縁部と第２縁部との間に表地分断部が形成される。）。そして、第１縁部と第２縁部とは互いに接合可能又は重合可能である（第１縁部の少なくとも一部と、第２縁部の少なくとも一部と、が互いに接合可能又は重合可能であることをいう）。
付勢手段は、表地分断部が拡がるよう第１縁部と第２縁部との両縁部が遠ざかるときには少なくとも該両縁部が近づくよう付勢する（第１縁部及び第２縁部の一方又は両方に直接又は間接に力を加え付勢する。）。そして、付勢手段は、第１縁部と第２縁部との両縁部に跨るよう、表地の裏面（表地の両主表面のうち着用者の身体に面する面）側に配設される。
【０００９】
かかる本衣服によれば、着用者のウエスト周りの長さ（ウエストサイズ）が通常のとき（即ち、本衣服のウエスト周りの長さ（ウエストサイズ）を一時的に大きくする必要がないとき）には、付勢手段の付勢力により第１縁部と第２縁部との両縁部が遠ざからないようされることで表地分断部が拡大せず、そして表地の裏面側に該両縁部に跨るように配設される付勢手段が、付勢手段によって拡がらないようされる表地分断部から観察されにくくなり（即ち、表地分断部が小さくなるので、表地分断部を通じて付勢手段が見えにくくなり、付勢手段によって外観が害されることを防止又は減少させる。）、本衣服の外観が害されることを防止又は減少させることができる。そして、本衣服において一時的にウエスト周りの長さ（ウエストサイズ）が大きくなる必要が生じたときは、付勢手段の該両縁部への付勢力に抗し、表地分断部が拡がるよう第１縁部と第２縁部との両縁部を遠ざけるようにすれば（ウエスト周りの長さ（ウエストサイズ）が大きくなった着用者が本衣服を着用すれば、表地分断部が拡がるよう第１縁部と第２縁部との両縁部を遠ざける力が加わる。）、ウエスト部の少なくとも上縁を含む周の長さ（即ち、ウエスト周りの長さ（ウエストサイズ））を増加させることができる。また、一時的にウエスト周りの長さ（ウエストサイズ）を大きくした後、その必要がなくなった場合には、付勢力に抗し表地分断部が拡がるよう第１縁部と第２縁部との両縁部を遠ざけるように加えた力を減少又は消失させれば、付勢手段の付勢力によって該両縁部が近づき表地分断部が縮小され、表地の裏面側に該両縁部に跨るように配設される付勢手段が、縮小した表地分断部から再び観察されにくくなり（即ち、縮小した表地分断部を通じて付勢手段が見えにくくなる）、本衣服の外観が害されることを防止又は減少させることができる。以上のように、本衣服は、表地分断部と付勢手段という簡単な構造により、一時的にウエスト周りの長さ（ウエストサイズ）を大きくすることができると共に、一時的にウエスト周りの長さ（ウエストサイズ）を大きくする必要がないときの外観が害されることを防止又は減少させることができる。
【００１０】
表地分断部が拡がるように前記両縁部が互いに遠ざかるような力を加えていないときには、付勢手段の付勢力により第１縁部と第２縁部との少なくとも一部が互いに接合又は重合することで、付勢手段の少なくとも一部が表地の表面側から隠されるもの（以下、「付勢手段隠し衣服」という。）であってもよい。
こうすることで表地分断部が拡がるように前記両縁部（第１縁部及び第２縁部）が互いに遠ざかるような力を加えていないとき（即ち、一時的にウエスト周りの長さ（ウエストサイズ）を大きくする必要がないとき）には、付勢手段の付勢力により第１縁部と第２縁部との少なくとも一部が互いに接合又は重合することで、表地の裏面側に該両縁部に跨るように配設される付勢手段の少なくとも一部が表地の表面（表地の両主表面のうち着用者の身体に面する面（裏面）とは反対の面であり、換言すれば、着用者に着用された本衣服を観察する観察者が目視する面）側から隠されることにより、一時的にウエスト周りの長さ（ウエストサイズ）を大きくする必要がないときの外観が害されることを効果的に防止又は減少させることができる。
【００１１】
表地分断部が拡がるように前記両縁部が互いに遠ざかるような力を加えていないときには、付勢手段の付勢力により第１縁部と第２縁部とが略全縁にわたって互いに接合又は重合するもの（以下、「全縁接合等衣服」という。）であってもよい。
こうすることで表地分断部が拡がるように前記両縁部（第１縁部及び第２縁部）が互いに遠ざかるような力を加えていないとき（即ち、一時的にウエスト周りの長さ（ウエストサイズ）を大きくする必要がないとき）には、付勢手段の付勢力により第１縁部と第２縁部とが略全縁にわたって互いに接合又は重合するので、第１縁部と第２縁部との間に形成された表地分断部が表地の表面側から略見えなくなり、一時的にウエスト周りの長さ（ウエストサイズ）を大きくする必要がないときの外観が害されることを一層効果的に防止又は減少させることができる。
【００１２】
付勢手段隠し衣服又は全縁接合等衣服の場合、表地分断部が拡がるように前記両縁部が互いに遠ざかるような力を加えていないときには、付勢手段の全部が表地の表面側から隠されるものであってもよい。
こうすることで表地分断部が拡がるように前記両縁部（第１縁部及び第２縁部）が互いに遠ざかるような力を加えていないとき（即ち、一時的にウエスト周りの長さ（ウエストサイズ）を大きくする必要がないとき）には、付勢手段の全部が表地の表面側から隠され表地の表面側から略見えなくなるので、一時的にウエスト周りの長さ（ウエストサイズ）を大きくする必要がないときの外観が害されることを一層効果的に防止又は減少させることができる。
【００１３】
本衣服においては、表地分断部が、表地の上下方向に沿って形成された布片同士を縫合する縫い目の延長に存するよう形成されるものであってもよい。
表地の上下方向に沿って形成された布片同士（表地を構成する）を縫合する縫い目は、従来の下半身用の衣服においても通常観察されるものである。第１縁部と第２縁部との間に形成された表地分断部がかかる縫い目の延長に存すれば、通常の縫い目の一部又は幾らか変形された縫い目のように観察され、表地分断部を有する本衣服が、従来の下半身用の衣服と大きく異なった印象を与えないことから、本衣装の外観が害されることを有効に防止又は減少させることができる。
とりわけ全縁接合等衣服において表地分断部が縫い目の延長に存するよう形成されれば、第１縁部と第２縁部とが略全縁にわたって互いに接合又は重合した際に表地分断部が消失し線分（縫い目と同様）のように見えることから、表地分断部が通常の縫い目の一部のように観察され、本衣装の外観が害されることを一層有効に防止又は減少させることができる。
【００１４】
本衣服においては、付勢手段が、一端側が第１縁部の近傍に固定されると共に他端側が第２縁部の近傍に固定される、ゴム材料によって形成された紐材又は帯材であってもよい（以下、「紐材等衣服」という。）。
ゴム材料によって形成された紐材又は帯材（以下、「紐材等」という。）は、衣服分野において多用されると共に、安価かつ容易に入手できるものである。このような紐材等の一端側を第１縁部の近傍に固定し、そして他端側を第２縁部の近傍に固定することで、表地分断部が拡がるよう第１縁部と第２縁部との両縁部が遠ざかるときには該両縁部が近づくよう付勢することを確実、安価及び容易に行わしめると共に、紐材等は通常かさばらないので本衣装の外観が害されることを防止又は減少させ、さらに紐材等は伸縮率が通常大きいので一時的にウエスト周りの長さ（ウエストサイズ）を大きくすることができる範囲（調節範囲）を大きくとることができる。
【００１５】
紐材等衣服の場合、前記一端側又は前記他端側の少なくとも一方が、前記固定される第１縁部又は第２縁部から垂直方向に一定距離離れた位置に固定されるものであってもよい。
こうすることで前記固定される第１縁部又は第２縁部から垂直方向に一定距離離れた位置に固定される前記一端側又は前記他端側の少なくとも一方と他方との間の距離（即ち、紐材等の長さ）が増加するので、ウエスト周りの長さ（ウエストサイズ）を大きくすることができる範囲を大きくとることができると共に、第１縁部と第２縁部とが互いに接合又は重合するように容易にすることができる（例えば、前記一端側が第１縁部に固定され、前記他端側が第２縁部に固定された場合を考えると、紐材等は収縮した状態であっても所定の長さを有するので、前記一端側が固定された第１縁部の部分と、前記他端側が固定された第２縁部の部分と、は該所定の長さよりも近づかないが、第１縁部及び第２縁部の一方又は両方が取り付けられた縁部から垂直方向に一定距離離れた位置に固定されれば、該一定距離によって該所定の長さを吸収することができ、前記一端側が固定された第１縁部の部分と、前記他端側が固定された第２縁部の部分と、が接合又は重合するよう容易に構成することができる。）。
【００１６】
本衣服においては、ウエスト部が裏地を有するものであり、付勢手段が、表地と裏地との間に配設されるもの（以下、「裏地有り衣服」という。）であってもよい。
こうすることでウエスト部を構成する表地と裏地との間に付勢手段が配設されるので、付勢手段の少なくとも一部が裏地によって隠され、付勢手段の露出により本衣装の外観が害されることを防止又は減少させることができる。
【００１７】
裏地有り衣服の場合、裏地が、表地分断部に対応するウエスト部の周の位置に周を両側に分断する裏地分断部を有するものであってもよい。
本衣服では、一時的にウエスト周りの長さ（ウエストサイズ）が大きくなる必要が生じたときは、上記したように第１縁部と第２縁部との両縁部を遠ざけて表地分断部が拡がるようにすることで、ウエスト部の少なくとも上縁を含む周の長さ（即ち、ウエスト周りの長さ（ウエストサイズ））を増加させるが、このとき裏地が第１縁部と第２縁部との両縁部を連結していれば、裏地の連結に抗して第１縁部と第２縁部との両縁部を遠ざけ表地分断部を拡げる必要があるので、一時的にウエスト周りの長さ（ウエストサイズ）を大きくすることができる範囲が小さくなったり、大きな力を要したり（本衣服の着心地を悪くするおそれがある）、時には、裏地を破損する可能性もある。これらの問題を防止又は減少させるため、裏地が、表地分断部に対応するウエスト部の周の位置に周を両側に分断する裏地分断部を有するようにすれば、第１縁部と第２縁部との両縁部を遠ざけて表地分断部を拡げる際に、表地分断部に対応するウエスト部の周（ウエスト部の少なくとも上縁を含む周）の位置に周を両側に分断するよう形成される裏地分断部も無理なく拡がるので、裏地に抗して第１縁部と第２縁部とを遠ざけ表地分断部を拡げる必要がなくなり上述の問題を回避等することができる。
【００１８】
本衣服が備えるウエスト伸縮手段の個数は、前述の如く１以上であればよく、何ら制限されるものではないが、複数個（２以上）の場合には本衣服の着用者から見て左右対称に略配設されるようにしてもよい。即ち、複数個のウエスト伸縮手段を、想定される着用者の胴体中心を通過し、該着用者の左右空間を分割する平面に対して面対称に略備えてなるものであってもよい。なお、「想定される着用者の胴体中心を通過し、該着用者の左右空間を分割する平面」とは、水平面に真っ直ぐに起立した着用者の胴体を水平面にて切断した切断面における重心位置（該切断面の形状が非常に薄い板状部材によって形成されると共に該板状部材の重量分布が一様であると仮定した際の該板状部材の重心位置をいう。）を通過する鉛直平面のうち、着用者の前後方向にのび、着用者の左右空間を両側に分割する平面をいう。こうすることで一時的にウエスト周りの長さ（ウエストサイズ）を大きくしたとき（表地分断部が拡がったき）と、ウエスト周りの長さ（ウエストサイズ）を大きくしていないとき（表地分断部が拡がっていないとき）と、のいずれも本衣服の外観が着用者に対して左右対称に略なりやすいので、着用時の本衣装の外観が害されることを防止又は減少させることができる（例えば、表地分断部が拡がっていないときは左右対称に略なっているが、表地分断部が拡がったきは左右対称が崩れるものであれば、着用時の本衣装の外観が害される可能性がある。）。
【００１９】
本衣服は、着用者のウエスト、腰部分、腹部分又は胴体に本衣服のウエスト部が巻着されて着用される下半身用の衣服として広く用いることができ、下半身用の衣服の種類は限定されるものではないが、一例を挙げれば、スカート、キュロット、ズボン等を例示することができる。
【考案を実施するための最良の形態】
【００２０】
本考案の実施の形態を図面を参照して詳述するが、本考案はこれに限定されるものではない。
【００２１】
図１は、一例の本考案の下半身用の衣服である本スカート１１を示す斜視図であり、図２は図１の円Ａ中の部分の拡大図であり、図３は図１の円Ｂ中の部分の拡大図であり、そして図４は図２のＣ−Ｃ端面図である。図１乃至図４を参照して、本スカート１１について説明する。なお、想定される着用者１０１（水平面に真っ直ぐに直立している。）から見て鉛直上方向を上方向（図１中、矢印Ｅ１にて示す。）とし、鉛直下方向を下方向（図１中、矢印Ｅ２にて示す。）とする。
本スカート１１は、大まかには、４枚の表布片１２ａ、１２ｂ、１２ｃ、１２ｄ（表布片１２ｃは図中に現れないが、後述の裏布片１２ｃｂと重合するよう、他の表布片１２ａ、１２ｂ、１２ｄと同様に配設されている。）同士が上下方向に沿った縫い目１３ａ、１３ｂ、１３ｃ、１３ｄ（縫い目１３ｂ、１３ｃは図中に現れないが、縫い目１３ａ、１３ｄと同様に形成されている。）によって中空の筒形（詳細には、中空の円錐台筒）に縫い合わされて形成されている。本スカート１１がなす中空の筒形は上部開口１４ａと下部開口１４ｂとを有しており、上部開口１４ａには着用者１０１のウエスト部分が嵌入されると共に、下部開口１４ｂからは着用者１０１の脚部が下方に向けて突出する。また、本スカート１１の表地は、互いに縫い合わされた４枚の表布片１２ａ、１２ｂ、１２ｃ、１２ｄによって構成され、裏地は、後述するように互いに縫い合わされた裏布片１２ａｂ、１２ｂｂ、１２ｃｂ、１２ｄｂによって構成されている。
【００２２】
上部開口１４ａを規定するウエスト部１５（着用者１０１のウエスト部分に巻着される環状の帯部分であり、本スカート１１がなす中空の筒形の上端付近部分）には、ウエスト部１５が分断可能になるようファスナー１６（線分に沿った雄部分１６ａと、該線分に沿って雄部分１６ａに係合可能な雌部分１６ｂと、これら雄部分１６ａと雌部分１６ｂとを係合させたり係合を解いたりするための係脱金具１６ｃと、を有してなる。）が取り付けられている。具体的には、本スカート１１を着用者１０１が着用する際には、係脱金具１６ｃを操作（下方に移動）し雄部分１６ａと雌部分１６ｂとの係合を解き（これにより雄部分１６ａと雌部分１６ｂとの長さに相当して上部開口１４ａの周が拡大される。）、ウエスト部１５を着用者１０１のウエスト部分に巻着する。そして、係脱金具１６ｃを操作（上方に移動）し雄部分１６ａと雌部分１６ｂとを係合させ、ウエスト部１５を着用者１０１のウエスト部分にしっかりと巻着し固定する。本スカート１１を着用者１０１が脱ぐ際には、係脱金具１６ｃを操作（下方に移動）し雄部分１６ａと雌部分１６ｂとの係合を解き、本スカート１１から着用者１０１の身体を抜き取る。このようにして本スカート１１は、通常のスカートと同様、着用者１０１の着用に供することができる。
【００２３】
４枚の表布片１２ａ、１２ｂ、１２ｃ、１２ｄ同士を縫い合わせる縫い目１３ａ、１３ｂ、１３ｃ、１３ｄ各々の上方にはウエスト伸縮部２１ａ、２１ｂ、２１ｃ、２１ｄ（ウエスト伸縮手段）が形成されている。ウエスト伸縮部２１ａ、２１ｂ、２１ｃ、２１ｄのいずれも同様の構造を有しており、ウエスト伸縮部２１ａ、２１ｂ、２１ｃ、２１ｄの下方において互いに縫い合わされる２枚の表布片（例えば、ウエスト伸縮部２１ｄであれば表布片１２ｄと表布片１２ａとである。）がウエスト伸縮部２１ａ、２１ｂ、２１ｃ、２１ｄでは縫い合わされておらず、該２枚の表布片の一方の縁部（第１縁部）と他方の縁部（第２縁部）との間に表地分断部２３ａ、２３ｂ、２３ｃ、２３ｄが形成される（なお、表地分断部２３ｂ、２３ｃは図に現れないが、表地分断部２３ｄ、２３ａがウエスト伸縮部２１ｄ、２１ａに形成されるのと同様、ウエスト伸縮部２１ｂ、２１ｃに形成されている。）。例えば、ウエスト伸縮部２１ｄにおいては、図２及び図４に示すように、ウエスト伸縮部２１ｄの下方（縫い目１３ｄ）において互いに縫い合わされる２枚の表布片１２ｄ、１２ａがウエスト伸縮部２１ｄでは縫い合わされておらず、該２枚の表布片１２ｄ、１２ａの一方１２ｄの縁部１２ｄａ（第１縁部）と他方１２ａの縁部１２ａｄ（第２縁部）との間に表地分断部２３ｄが形成されている。
【００２４】
そして、ウエスト部１５においては、表布片１２ａ、１２ｂ、１２ｃ、１２ｄそれぞれを裏打ちするように裏布片１２ａｂ、１２ｂｂ、１２ｃｂ、１２ｄｂが縫いつけられている。裏布片１２ａｂ、１２ｂｂ、１２ｃｂ、１２ｄｂは、表布片１２ａ、１２ｂ、１２ｃ、１２ｄと同様、上下方向に沿った縫い目１３ａｂ、１３ｂｂ、１３ｃｂ、１３ｄｂ（縫い目１３ａｂ、１３ｄｂは図中に現れないが、縫い目１３ｂｂ、１３ｃｂと同様に形成されている。）によって中空の筒形（詳細には、中空の円錐台筒）に縫い合わされている。また、ここでは縫い目１３ａｂ、１３ｂｂ、１３ｃｂ、１３ｄｂは、縫い目１３ａ、１３ｂ、１３ｃ、１３ｄに対応する位置に形成されている（即ち、表布片１２ａ、１２ｂ、１２ｃ、１２ｄ同士を縫い合わせる位置と、裏布片１２ａｂ、１２ｂｂ、１２ｃｂ、１２ｄｂ同士を縫い合わせる位置と、は略同じ位置である。）。
４枚の裏布片１２ａｂ、１２ｂｂ、１２ｃｂ、１２ｄｂ同士を縫い合わせる縫い目１３ａｂ、１３ｂｂ、１３ｃｂ、１３ｄｂ各々の上方には、前述のウエスト伸縮部２１ａ、２１ｂ、２１ｃ、２１ｄ（ウエスト伸縮手段）が位置している。縫い目１３ａｂ、１３ｂｂ、１３ｃｂ、１３ｄｂにおいて互いに縫い合わされる２枚の裏布片（例えば、ウエスト伸縮部２１ｄであれば裏布片１２ｄｂと裏布片１２ａｂとである。）がウエスト伸縮部２１ａ、２１ｂ、２１ｃ、２１ｄでは縫い合わされておらず、該２枚の裏布片の一方の縁部と他方の縁部との間に裏地分断部２３ａｂ、２３ｂｂ、２３ｃｂ、２３ｄｂが形成される（なお、裏地分断部２３ａｂは図に現れないが、裏地分断部２３ｄｂ、２３ｂｂ、２３ｃｂがウエスト伸縮部２１ｄ、２１ｂ、２１ｃに形成されるのと同様、ウエスト伸縮部２１ａに形成されている。）。例えば、ウエスト伸縮部２１ｄにおいては、図４に示すように、ウエスト伸縮部２１ｄの下方（縫い目１３ｄｂ）において互いに縫い合わされる２枚の裏布片１２ｄｂ、１２ａｂがウエスト伸縮部２１ｄでは縫い合わされておらず、該２枚の裏布片１２ｄｂ、１２ａｂの一方１２ｄｂの縁部１２ｄｂａと他方１２ａｂの縁部１２ａｂｄとの間に裏地分断部２３ｄｂが形成されている。同様に、ウエスト伸縮部２１ｂにおいては、図３に示すように、ウエスト伸縮部２１ｂの下方（縫い目１３ｂｂ）において互いに縫い合わされる２枚の裏布片１２ｃｂ、１２ｂｂがウエスト伸縮部２１ｂでは縫い合わされておらず、該２枚の裏布片１２ｃｂ、１２ｂｂの一方１２ｃｂの縁部１２ｃｂｂと他方１２ｂｂの縁部１２ｂｂｃとの間に裏地分断部２３ｂｂが形成されている。
【００２５】
ウエスト伸縮部２１ａ、２１ｂ、２１ｃ、２１ｄそれぞれにおいて、表地分断部２３ａ、２３ｂ、２３ｃ、２３ｄを形成する前記２枚の表布片を連結すると共に、裏地分断部２３ａｂ、２３ｂｂ、２３ｃｂ、２３ｄｂを形成する前記２枚の裏布片を連結するように、ゴム材料によって形成された帯材であるゴム帯３１（付勢手段）が配設されている（具体的には、ウエスト伸縮部２１ａ、２１ｂ、２１ｃ、２１ｄそれぞれにゴム帯３１ａ、３１ｂ、３１ｃ、３１ｄが配設されている。）。ゴム帯３１はウエスト伸縮部２１ａ、２１ｂ、２１ｃ、２１ｄそれぞれに１枚ずつ合計４枚配設されているが（ゴム帯３１ａ、３１ｂ、３１ｃ、３１ｄ）、いずれのゴム帯３１ａ、３１ｂ、３１ｃ、３１ｄも同じものである。
【００２６】
ゴム帯３１（３１ａ、３１ｂ、３１ｃ、３１ｄ）は、両主表面とも略長方形をした厚みの小さな形状（板状部材）をした弾性を有するゴム製の帯体であり、被服分野において多用されるものを用いている。ゴム帯３１（３１ａ、３１ｂ、３１ｃ、３１ｄ）は、図４に示すように、表布片１２ａ、１２ｂ、１２ｃ、１２ｄと裏布片１２ａｂ、１２ｂｂ、１２ｃｂ、１２ｄｂとの間（表布片１２ａ、１２ｂ、１２ｃ、１２ｄと裏布片１２ａｂ、１２ｂｂ、１２ｃｂ、１２ｄｂとに挟まれるような状態にて）に配設されている。ウエスト伸縮部２１ａ、２１ｂ、２１ｃ、２１ｄの表地分断部２３ａ、２３ｂ、２３ｃ、２３ｄを形成する前記２枚の表布片（例えば、ウエスト伸縮部２１ｄであれば表布片１２ｄと表布片１２ａとである。）の一方の縁部（第１縁部）（例えば、ウエスト伸縮部２１ｄであれば表布片１２ｄの縁部１２ｄａである。）近傍にゴム帯３１（３１ａ、３１ｂ、３１ｃ、３１ｄ）の一端側が縫製糸４１により縫いつけ固定されると共に、他方の縁部（第２縁部）（例えば、ウエスト伸縮部２１ｄであれば表布片１２ａの縁部１２ａｄである。）近傍にゴム帯３１（３１ａ、３１ｂ、３１ｃ、３１ｄ）の他端側が縫製糸４１により縫いつけ固定されている。また、ゴム帯３１（３１ａ、３１ｂ、３１ｃ、３１ｄ）の該一端側は、それが固定される該一方の縁部（第１縁部）（例えば、ウエスト伸縮部２１ｄであれば表布片１２ｄの縁部１２ｄａである。）から垂直方向に一定距離（Ｋ１）離れた位置に該一方の縁部（第１縁部）に沿って固定されると共に、ゴム帯３１（３１ａ、３１ｂ、３１ｃ、３１ｄ）の該他端側は、それが固定される該他方の縁部（第２縁部）（例えば、ウエスト伸縮部２１ｄであれば表布片１２ａの縁部１２ａｄである。）から垂直方向に一定距離（Ｋ２）離れた位置に該他方の縁部（第２縁部）に沿って固定される。なお、ここではＫ１＝Ｋ２＝２ｍｍとされている。
【００２７】
ウエスト伸縮部２１ａ、２１ｂ、２１ｃ、２１ｄの裏地分断部２３ａｂ、２３ｂｂ、２３ｃｂ、２３ｄｂを形成する前記２枚の裏布片（例えば、ウエスト伸縮部２１ｄであれば裏布片１２ｄｂと裏布片１２ａｂとである。）の一方の縁部（例えば、ウエスト伸縮部２１ｄであれば裏布片１２ｄｂの縁部１２ｄｂａである。）近傍にゴム帯３１（３１ａ、３１ｂ、３１ｃ、３１ｄ）の一端側が縫製糸４１により縫いつけ固定されると共に、他方の縁部（例えば、ウエスト伸縮部２１ｄであれば裏布片１２ａｂの縁部１２ａｂｄである。）近傍にゴム帯３１（３１ａ、３１ｂ、３１ｃ、３１ｄ）の他端側が縫製糸４１により縫いつけ固定されている。また、ゴム帯３１（３１ａ、３１ｂ、３１ｃ、３１ｄ）の該一端側は、それが固定される該一方の縁部（例えば、ウエスト伸縮部２１ｄであれば裏布片１２ｄｂの縁部１２ｄｂａである。）から垂直方向に一定距離（Ｋ３）離れた位置に該一方の縁部に沿って固定されると共に、ゴム帯３１（３１ａ、３１ｂ、３１ｃ、３１ｄ）の該他端側は、それが固定される該他方の縁部（例えば、ウエスト伸縮部２１ｄであれば表布片１２ａｂの縁部１２ａｂｄである。）から垂直方向に一定距離（Ｋ４）離れた位置に該他方の縁部に沿って固定される。なお、ここではＫ１＝Ｋ２＝Ｋ３＝Ｋ４＝２ｍｍとされている。ここではゴム帯３１（３１ａ、３１ｂ、３１ｃ、３１ｄ）は、ウエスト部１５において表布片１２ａ、１２ｂ、１２ｃ、１２ｄと裏布片１２ａｂ、１２ｂｂ、１２ｃｂ、１２ｄｂとの間に挟まれた状態で、これらゴム帯３１（３１ａ、３１ｂ、３１ｃ、３１ｄ）と表布片１２ａ、１２ｂ、１２ｃ、１２ｄと裏布片１２ａｂ、１２ｂｂ、１２ｃｂ、１２ｄｂとを貫通する縫製糸４１により縫いつけられ固定されている。
【００２８】
このようにゴム帯３１ａは表地分断部２３ａと裏地分断部２３ａｂとの両側を連結し（表地分断部２３ａを形成する表布片１２ａ、１２ｂの間と、裏地分断部２３ａｂを形成する裏布片１２ａｂ、１２ｂｂの間と、をゴム帯３１ａは連結する。）、ゴム帯３１ｂは表地分断部２３ｂと裏地分断部２３ｂｂとの両側を連結し（表地分断部２３ｂを形成する表布片１２ｂ、１２ｃの間と、裏地分断部２３ｂｂを形成する裏布片１２ｂｂ、１２ｃｂの間と、をゴム帯３１ｂは連結する。）、ゴム帯３１ｃは表地分断部２３ｃと裏地分断部２３ｃｂとの両側を連結し（表地分断部２３ｃを形成する表布片１２ｃ、１２ｄの間と、裏地分断部２３ｃｂを形成する裏布片１２ｃｂ、１２ｄｂの間と、をゴム帯３１ｃは連結する。）、そしてゴム帯３１ｄは表地分断部２３ｄと裏地分断部２３ｄｂとの両側を連結し（表地分断部２３ｄを形成する表布片１２ｄ、１２ａの間と、裏地分断部２３ｄｂを形成する裏布片１２ｄｂ、１２ａｂの間と、をゴム帯３１ｄは連結する。）。
そして、図１乃至図４に示すように一時的にウエスト周りの長さ（ウエストサイズ）を大きくする必要がないときは、ゴム帯３１（３１ａ、３１ｂ、３１ｃ、３１ｄ）の収縮力によって、表地分断部２３ａ、２３ｂ、２３ｃ、２３ｄを形成する前記２枚の表布片の一方の縁部（第１縁部）と他方の縁部（第２縁部）とが接合する（表地分断部２３ａ、２３ｂ、２３ｃ、２３ｄが閉じる）と共に、裏地分断部２３ａｂ、２３ｂｂ、２３ｃｂ、２３ｄｂを形成する前記２枚の裏布片の一方の縁部と他方の縁部とが接合するので（裏地分断部２３ａｂ、２３ｂｂ、２３ｃｂ、２３ｄｂが閉じる）、ゴム帯３１（３１ａ、３１ｂ、３１ｃ、３１ｄ）は表布片１２ａ、１２ｂ、１２ｃ、１２ｄの外面側（図４中、Ｑ側）と裏布片１２ａｂ、１２ｂｂ、１２ｃｂ、１２ｄｂの内面（着用者の身体に面する面）側（図４中、Ｒ側）とのいずれからも見えない。これにより、ウエスト周りの長さ（ウエストサイズ）を大きくする必要がないときにゴム帯３１（３１ａ、３１ｂ、３１ｃ、３１ｄ）が見えないことから、本スカート１１の外観が害されることを防止又は減少させることができる。また、表地分断部２３ａ、２３ｂ、２３ｃ、２３ｄ及び裏地分断部２３ａｂ、２３ｂｂ、２３ｃｂ、２３ｄｂが閉じているので、本スカート１１の外観が害されることを防止することができる。
【００２９】
一方、本スカート１１が着用者１０１に着用され、着用者１０１が食事をすることや、着用者１０１が前屈みになることや、着用者１０１が太ること等により腹部等の周りの長さが増加し、一時的にウエスト周りの長さ（ウエストサイズ）を大きくする必要が生じると、ウエスト部１５の周を引き延ばすように力が加わり、表地分断部２３ａ、２３ｂ、２３ｃ、２３ｄ、裏地分断部２３ａｂ、２３ｂｂ、２３ｃｂ、２３ｄｂそれぞれを連結するゴム帯３１（３１ａ、３１ｂ、３１ｃ、３１ｄ）が引き延ばされてウエスト周りの長さ（ウエストサイズ）が増加する。かかる状態を図５〜図８に示す。なお、図５（斜視図）は上述の図１に、図６（図５の円Ａ中の部分の拡大図）は上述の図２に、図７（図５の円Ｂ中の部分の拡大図）は上述の図３に、そして図８（図６のＣ−Ｃ端面図）は上述の図４に、それぞれ対応する。図５〜図８に示された状態は、上述した図１〜図４に示された状態に比し、ゴム帯３１（３１ａ、３１ｂ、３１ｃ、３１ｄ）が引き延ばされウエスト部１５の周りの長さ（ウエストサイズ）が増加している。
ウエスト伸縮部２１ａにおいては、表布片１２ａ、１２ｂの間に形成される表地分断部２３ａと、裏布片１２ａｂ、１２ｂｂの間に形成される裏地分断部２３ａｂと、が拡がった状態になっておりゴム帯３１ａが露出している。ウエスト伸縮部２１ｂにおいては、表布片１２ｂ、１２ｃの間に形成される表地分断部２３ｂと、裏布片１２ｂｂ、１２ｃｂの間に形成される裏地分断部２３ｂｂと、が拡がった状態になっておりゴム帯３１ｂが露出している。ウエスト伸縮部２１ｃにおいては、表布片１２ｃ、１２ｄの間に形成される表地分断部２３ｃと、裏布片１２ｃｂ、１２ｄｂの間に形成される裏地分断部２３ｃｂと、が拡がった状態になっておりゴム帯３１ｃが露出している。そして、ウエスト伸縮部２１ｄにおいては、表布片１２ｄ、１２ａの間に形成される表地分断部２３ｄと、裏布片１２ｄｂ、１２ａｂの間に形成される裏地分断部２３ｄｂと、が拡がった状態になっておりゴム帯３１ｄが露出している。このようにゴム帯３１（３１ａ、３１ｂ、３１ｃ、３１ｄ）が引き延ばされ、表地分断部２３ａ、２３ｂ、２３ｃ、２３ｄ及び裏地分断部２３ａｂ、２３ｂｂ、２３ｃｂ、２３ｄｂが広がることでウエスト部１５の周りの長さ（ウエストサイズ）が増加する。
一時的にウエスト周りの長さ（ウエストサイズ）を大きくする必要がなくなると、図５〜図８に示したようなウエスト周りの長さ（ウエストサイズ）が一時的に大きくなった状態から、ゴム帯３１（３１ａ、３１ｂ、３１ｃ、３１ｄ）の収縮力により表地分断部２３ａ、２３ｂ、２３ｃ、２３ｄ及び裏地分断部２３ａｂ、２３ｂｂ、２３ｃｂ、２３ｄｂが図１〜図４のように縮まり（ゴム帯３１（３１ａ、３１ｂ、３１ｃ、３１ｄ）は表布片１２ａ、１２ｂ、１２ｃ、１２ｄの外面側と裏布片１２ａｂ、１２ｂｂ、１２ｃｂ、１２ｄｂの内面（着用者の体に面する面）側とのいずれからも見えなくなる。）、ウエスト部１５の周りの長さ（ウエストサイズ）が小さくなる。
以上のように、本スカート１１は、表地分断部２３ａ、２３ｂ、２３ｃ、２３ｄ、裏地分断部２３ａｂ、２３ｂｂ、２３ｃｂ、２３ｄｂ及びゴム帯３１（３１ａ、３１ｂ、３１ｃ、３１ｄ）という簡単な構造により、一時的にウエスト周りの長さ（ウエストサイズ）が大きくなることができると共に、一時的にウエスト周りの長さ（ウエストサイズ）を大きくする必要がないときにはゴム帯３１（３１ａ、３１ｂ、３１ｃ、３１ｄ）が見えないことから良好な外観を形成することができる。
【００３０】
以上説明したように本スカート１１は、表地（互いに縫い合わされた４枚の表布片１２ａ、１２ｂ、１２ｃ、１２ｄにより構成される。）のウエスト部１５の少なくとも上縁を含む周を両側に分断するよう、互いに接合可能な第１縁部及び第２縁部の間に形成された表地分断部２３ａ、２３ｂ、２３ｃ、２３ｄ（例えば、ウエスト伸縮部２１ｄにおいては、図２に示すように互いに接合可能な２枚の表布片１２ｄ、１２ａの一方１２ｄの縁部１２ｄａ（第１縁部）と他方１２ａの縁部１２ａｄ（第２縁部）との間に表地分断部２３ｄが形成されている。）と、表地分断部２３ａ、２３ｂ、２３ｃ、２３ｄが拡がるよう第１縁部と第２縁部との両縁部（例えば、ウエスト伸縮部２１ｄにおいては、縁部１２ｄａ（第１縁部）と縁部１２ａｄ（第２縁部））が遠ざかるときには少なくとも該両縁部が近づくよう付勢する、表地（互いに縫い合わされた４枚の表布片１２ａ、１２ｂ、１２ｃ、１２ｄ）の裏面側に該両縁部に跨るように配設される付勢手段たるゴム帯３１（３１ａ、３１ｂ、３１ｃ、３１ｄ）と、を含むウエスト伸縮手段たるウエスト伸縮部２１ａ、２１ｂ、２１ｃ、２１ｄを備えてなる、下半身用の衣服である。
【００３１】
そして、本スカート１１においては、表地分断部２３ａ、２３ｂ、２３ｃ、２３ｄが拡がるように前記両縁部（例えば、ウエスト伸縮部２１ｄにおいては、縁部１２ｄａ（第１縁部）と縁部１２ａｄ（第２縁部））が互いに遠ざかるような力を加えていないとき（例えば、図１〜図４）には、付勢手段たるゴム帯３１（３１ａ、３１ｂ、３１ｃ、３１ｄ）の付勢力（収縮力）により第１縁部と第２縁部との少なくとも一部が互いに接合することで、付勢手段たるゴム帯３１（３１ａ、３１ｂ、３１ｃ、３１ｄ）の少なくとも一部が表地の表面側から隠されるものである。
本スカート１１においては、表地分断部２３ａ、２３ｂ、２３ｃ、２３ｄが拡がるように前記両縁部（例えば、ウエスト伸縮部２１ｄにおいては、縁部１２ｄａ（第１縁部）と縁部１２ａｄ（第２縁部））が互いに遠ざかるような力を加えていないとき（例えば、図１〜図４）には、付勢手段たるゴム帯３１（３１ａ、３１ｂ、３１ｃ、３１ｄ）の付勢力（収縮力）により第１縁部と第２縁部とが略全縁にわたって互いに接合するものである（例えば、ウエスト伸縮部２１ｄにおいては、縁部１２ｄａ（第１縁部）と縁部１２ａｄ（第２縁部）とが全縁にわたってぴったりと接合している。特に、図２参照。）。
本スカート１１においては、表地分断部２３ａ、２３ｂ、２３ｃ、２３ｄが拡がるように前記両縁部（例えば、ウエスト伸縮部２１ｄにおいては、縁部１２ｄａ（第１縁部）と縁部１２ａｄ（第２縁部））が互いに遠ざかるような力を加えていないとき（例えば、図１〜図４）には、付勢手段たるゴム帯３１（３１ａ、３１ｂ、３１ｃ、３１ｄ）の全部が表地（互いに縫い合わされた４枚の表布片１２ａ、１２ｂ、１２ｃ、１２ｄ）の表面側から隠されるものである（図２参照）。
【００３２】
本スカート１１においては、表地分断部２３ａ、２３ｂ、２３ｃ、２３ｄが、表地（互いに縫い合わされた４枚の表布片１２ａ、１２ｂ、１２ｃ、１２ｄ）の上下方向に沿って形成された布片（表地を構成する表布片１２ａ、１２ｂ、１２ｃ、１２ｄ）同士を縫合する縫い目１３ａ、１３ｂ、１３ｃ、１３ｄの延長に存するよう形成されるものである。
本スカート１１においては、付勢手段たるゴム帯３１（３１ａ、３１ｂ、３１ｃ、３１ｄ）が、一端側が第１縁部の近傍に固定されると共に他端側が第２縁部の近傍に固定される、ゴム材料によって形成された帯材であり、そして、前記一端側又は前記他端側の少なくとも一方（ここでは両方）が、前記固定される第１縁部又は第２縁部から垂直方向に一定距離（＝Ｋ１＝Ｋ２＝２ｍｍ）離れた位置に固定されるものである。
【００３３】
さらに、本スカート１１においては、ウエスト部１５が裏地（互いに縫い合わされた裏布片１２ａｂ、１２ｂｂ、１２ｃｂ、１２ｄｂによって構成される。）を有するものであり、付勢手段たるゴム帯３１（３１ａ、３１ｂ、３１ｃ、３１ｄ）が、表地（互いに縫い合わされた４枚の表布片１２ａ、１２ｂ、１２ｃ、１２ｄ）と裏地（互いに縫い合わされた裏布片１２ａｂ、１２ｂｂ、１２ｃｂ、１２ｄｂ）との間に配設されるものである。
本スカート１１においては、裏地（互いに縫い合わされた裏布片１２ａｂ、１２ｂｂ、１２ｃｂ、１２ｄｂ）が、表地分断部２３ａ、２３ｂ、２３ｃ、２３ｄに対応するウエスト部１５の周（表地の周）の位置に周（裏地の周）を両側に分断する裏地分断部２３ａｂ、２３ｂｂ、２３ｃｂ、２３ｄｂを有するものである。
最後に、本スカート１１においては、複数個（ここでは４個）のウエスト伸縮手段たるウエスト伸縮部２１ａ、２１ｂ、２１ｃ、２１ｄを、想定される着用者１０１の胴体中心を通過し、該着用者１０１の左右空間を分割する平面（図１及び図５中、点線Ｐにて示す。）に対して面対称に略備えてなる。
【図面の簡単な説明】
【００３４】
【図１】一例の本考案の下半身用の衣服である本スカートを示す斜視図である（ウエスト周りの長さが大きくなっていない状態）。
【図２】図１の円Ａ中の部分の拡大図である。
【図３】図１の円Ｂ中の部分の拡大図である。
【図４】図２のＣ−Ｃ端面図である。
【図５】図１〜図５に示した本スカートのウエスト周りの長さが大きくなった状態を示す斜視図である。
【図６】図５の円Ａ中の部分の拡大図である。
【図７】図５の円Ｂ中の部分の拡大図である。
【図８】図６のＣ−Ｃ端面図である。
【符号の説明】
【００３５】
１１                    本スカート
１２ａ、１２ｂ、１２ｃ、１２ｄ  表布片
１２ａｄ、１２ｄａ      縁部
１２ａｂ、１２ｂｂ、１２ｃｂ、１２ｄｂ  裏布片
１２ａｂｄ、１２ｄｂａ  縁部
１３ａ、１３ｂ、１３ｃ、１３ｄ  縫い目
１３ａｂ、１３ｂｂ、１３ｃｂ、１３ｄｂ  縫い目
１４ａ                  上部開口
１４ｂ                  下部開口
１５                    ウエスト部
１６                    ファスナー
１６ａ                  雄部分
１６ｂ                  雌部分
１６ｃ                  係脱金具
２１ａ、２１ｂ、２１ｃ、２１ｄ  ウエスト伸縮部
２３ａ、２３ｂ、２３ｃ、２３ｄ  表地分断部
２３ａｂ、２３ｂｂ、２３ｃｂ、２３ｄｂ  裏地分断部
３１、３１ａ、３１ｂ、３１ｃ、３１ｄ  ゴム帯
４１                    縫製糸
１０１                    着用者
【図１】
0003136651.tif 000003
【図２】
0003136651.tif 000004
【図３】
0003136651.tif 000005
【図４】
0003136651.tif 000006
【図５】
0003136651.tif 000007
【図６】
0003136651.tif 000008
【図７】
0003136651.tif 000009
【図８】
0003136651.tif 000010